(57)【特許請求の範囲】
【請求項１】
呼出信号を検出する呼出信号検出手段と；
上記呼出信号の検出に応答して回線を閉結する回線閉結手段と；
ＣＮＧ信号を受信し、ファクシミリ端末の能力を通知するＤＩＳ信号を送出するファクシミリ手順信号通信手段と；
１４．４ｋｂｐｓを超える超高速モデムレートでのデータ伝送するための識別信号を送出し、発呼側超高速モデム能力信号を受信し、被呼側超高速モデム能力信号を送出する超高速モデム手順信号通信手段と；
上記回線閉結手段による回線の閉結後に、ＣＮＧ信号の受信と発呼側超高速モデム能力信号の受信とを監視し、発呼側超高速モデム能力信号を受信すれば、超高速モデム手順信号通信手段に、被呼側超高速モデム能力信号を送出させて、１４．４ｋｂｐｓを超える超高速モデムレートでのデータ伝送を行い、一方、ＣＮＧ信号を受信すれば、ファクシミリ手順信号通信手段に、ＤＩＳ信号を送出させて、１４．４ｋｂｐｓ以下のモデムレートでデータ伝送を行う制御手段と；
を有することを特徴とするファクシミリ装置。
【請求項２】
請求項１において、
ファクシミリ通信が可能であること、または電話に接続可能であることを示すメッセージを送出するメッセージ送出手段を有し、
一定時間以内に、識別信号が受信できなければ、ＣＮＧ信号の受信に先立ち、メッセージを送出することを特徴とするファクシミリ装置。
【発明の詳細な説明】
【０００１】
【産業上の利用分野】
本発明は、データ端末装置やファクシミリ装置に利用される回線切換装置に関する。
【０００２】
【従来の技術】
従来のファクシミリ装置のモデムスピードとしては、１４．４ｋｂｐｓ、９．６ｋｂｐｓ、７．２ｋｂｐｓ、４．８ｋｂｐｓ、２．４ｋｂｐｓ等が用いられていた。また、相手機の対応できるモデムの能力や、トレーニング、ＴＣＦ等による通信時の回線の品質の判定結果、さらには過去の通信の履歴などにより、最適なモデムレートを選択していた。さらに、近年、データ通信の高速化のために、モデムスピードを２８．８ｋｂｐｓまで高速化する技術が開発されている。
【０００３】
【発明が解決しようとする課題】
しかしながら、モデムスピードを２８．８ｋｂｐｓ、２６．４ｋｂｐｓ、２４．２ｋｂｐｓ、……、１６．８ｋｂｐｓなどといった超高速で通信を行う場合、以下のような欠点があった。
【０００４】
まず、超高速でデータ通信を行う場合、信号の歪みの発生を防止するためにサンプリングレートの高い伝送路を選択する必要がある。このため、発呼側のユーザとしては、交換機のオペレータにその旨を知らせて、サンプリングレートの高い伝送路を選択してもらってから、超高速データ通信を行う必要があり、面倒であった。
【０００５】
また、サンプリングレートの高い伝送路を選択せずに、超高速モデムで通信しようとした場合、信号に歪みが生じているため、トレーニングが失敗して、従来の高速モデムレートまで不必要なフォールバックを繰り返し、結果として通信時間が長くなっていた。
【０００６】
さらに、送信側の都合によってのみ、サンプリングレートの高い伝送路の選択をしていたため、受信側が超高速モデム対応型のファクシミリ装置でない場合でも、サンプリングレートの高い伝送路を用いることになり、資源を無駄に浪費していた。
【０００７】
また、受信側が超高速モデム対応型であっても、超高速モデムで通信する場合に、受信側のオペレータを呼び出し、受信側のオペレータに超高速で通信することを告げ、受信側の装置を超高速モードにセットしてから、超高速モデム通信を行わなければならず、面倒であった。
【０００８】
また、受信側が受信モードを自動受信モード、ＦＡＸ／ＴＥＬ自動切換モード、留守番電話モードなどに設定されていて、オペレータが装置の側にいない場合などは、超高速モデムを用いた通信ができなかった。
【０００９】
さらに、受信側が着信してからファクシミリに移行する様々な状態（例えば、ＣＮＧ信号の検知、スタートキーの押下、無音検知、所定のＤＴＭＦの検知、所定のフッキング動作、着信後の所定時間の経過）に対しても、超高速モデムを用いた通信の能力があっても、オペレータが側にいない場合は、超高速モデムを用いた通信ができなかった。
【００１０】
また、従来の電話呼出シーケンスやＦＡＸ／ＴＥＬ自動切換モードでは、通話モードに移行するのに着信後２〜５秒程度の時間が必要であり、その分、通信が遅延することになる。また、自動受信モードに設定されている場合や、ＣＮＧ信号を検出した場合は、電話モードに移行することができないという不都合があった。
【００１１】
そこで、本出願に係る第１の目的は、発呼側のユーザが交換機のオペレータを呼び出さなくても、自動的に必要な時にサンプリングレートの高い伝送路を選択できるようにすることである。
【００１２】
また、本出願に係る第２の目的は、サンプリングレートの高い伝送路を確保せずに、超高速モデムで通信を行うことを防止し、それによって不必要なフォールバックを防ぎ、通信時間が長くならないようにすることである。
【００１３】
また、本出願に係る第３の目的は、受信側が超高速モデム対応型であっても、受信側のオペレータを呼び出さずに超高速モデムを用いた通信ができるようにすることである。
【００１４】
また、本出願に係る第４の目的は、受信側で設定されている受信モードによらず、超高速モデムを用いた通信ができるようにすることである。
【００１５】
また、本出願に係る第５の目的は、受信側が着信してからファクシミリに移行する様々な状態（例えば、ＣＮＧ信号の検出、スタートキーの押下、無音検知、所定のＤＴＭＦ信号の検知、所定のフッキング動作、着信後の所定時間の経過等）に対しても、超高速モデム通信ができるようにすることである。
【００１６】
また、本出願に係る第６の目的は、第１〜第５の目的を達成するために超高速モデムに対応できることを識別する超高速モデム識別信号を設けることによって生じる新たな以下の２点の問題を解決することを目的としている。
【００１７】
すなわち、前記信号を送出するタイミングに関する問題で、着信と同時に超高速モデム識別信号を送出した場合、発呼側のオペレータは被呼側端末がファクシミリでしか動作しない端末だと誤解して回線を切断してしまう問題である。
【００１８】
逆に、通常発呼側がファクシミリの通信しかしない相手との通信が多い場合、着信と同時に超高速モデム識別信号を送出しないと、超高速モデムを用いた通信にはすぐに移行できず余分に通信がかかる問題である。
【００１９】
また、本出願に係る第７の目的は、ＦＡＸ／ＴＥＬ自動切換モードでも通話モードに移行する時間の短縮化を図り、どのような受信モードに設定されていても電話モードに移行できるようにすることである。
【００２０】
また、本出願に係る第８の目的は、受信側の能力を考慮して、サンプリングレートの高い伝送路を選択することで、資源の無駄な浪費を防ぐことである。
【００２１】
さらに、本出願に係る第９の目的は、既存のＧ３ＦＡＸとの互換性を図ることである。
【００２２】
【課題を解決するための手段】
本発明は、呼出信号を検出する呼出信号検出手段と、上記呼出信号の検出に応答して回線を閉結する回線閉結手段と、ＣＮＧ信号を受信し、ファクシミリ端末の能力を通知するＤＩＳ信号を送出するファクシミリ手順信号通信手段と、１４．４ｋｂｐｓを超える超高速モデムレートでのデータ伝送するための識別信号を送出し、発呼側超高速モデム能力信号を受信し、被呼側超高速モデム能力信号を送出する超高速モデム手順信号通信手段と、上記回線閉結手段による回線の閉結後に、ＣＮＧ信号の受信と発呼側超高速モデム能力信号の受信とを監視し、発呼側超高速モデム能力信号を受信すれば、超高速モデム手順信号通信手段に、被呼側超高速モデム能力信号を送出させて、１４．４ｋｂｐｓを超える超高速モデムレートでのデータ伝送を行い、一方、ＣＮＧ信号を受信すれば、ファクシミリ手順信号通信手段に、ＤＩＳ信号を送出させて、１４．４ｋｂｐｓ以下のモデムレートでデータ伝送を行う制御手段とを有することを特徴とするファクシミリ装置である。
【００２７】
【実施例】
図１は、本発明の第１実施例におけるファクシミリ装置の構成を示すブロック図である。
【００２８】
コネクタ１（Ｔ1 、Ｔ2 ）は、電話回線Ｌ1 、Ｌ2 とファクシミリ装置とを接続するものであり、呼出信号検出回路２は、回線からの呼出信号を検出する回路である。
【００２９】
ＨＯＯＫ検知回路３は、電話機１１、１２のＨＯＯＫ状態を検知する回路である。モデム４は、ファクシミリ信号を送受信するために変復調する回路であり、発呼側のファクシミリが送出する超高速モデム能力信号やＣＮＧ信号を検知する機能や、発呼側または電話機１１、１２からのＤＴＭＦを検出する機能を備えている。
【００３０】
ＣＰＵ５は、本装置全体の制御を行うものであり、画像処理部６は、画像データに各種画像処理を施すものであり、画像記録部７は、受信画像等を記録紙に印字出力するものである。また、画像読取部８は、送信原稿の読取りを行うものであり、操作／表示部９は、オペレータが各種入力を行うキーボードおよび各種表示を行うためのＬＣＤを含むものである。
【００３１】
電話機１０、１１は、外付けの電話機または留守番電話機であり、Ｔ3 、Ｔ4 、Ｔ5 、Ｔ6 は、本装置を各電話機または留守番電話機と接続するためのコネクタである。ＮＣＵ制御部１３は、ＣＭＬリレーによってスイッチ１０を切り換える制御等を行うものであり、スイッチ１４は、回線から到来する信号をモデムに入力するためのスイッチである。
【００３２】
ＲＯＭ１４は、ＣＰＵ５を動作させるためのプログラムや送出用メッセージを蓄積するためのメモリである。なお、送出用のメッセージについては、不図示のＲＡＭによって可変のメッセージを入力できるようにしてもよい。
【００３３】
また、本実施例装置における受信モードには、次の４つがある。まず、着信に対してハンドセット型電話機で手動で応答する手動受信モード、次に、着信に対して自動的に応答し、相手側がＦＡＸなのかＴＥＬなのかを判別し、ＦＡＸの場合ならスイッチ１０をＢ側に、ＴＥＬの場合にはＡ側に切り換えるＦＡＸ／ＴＥＬ自動切換モード、３つ目に着信に対して自動的に応答してＦＡＸのみと接続する自動受信モード、最後に着信に対して留守番電話に接続する留守番電話モードの４つである。なお、これらの各モードは、操作／表示部９のキーボードより選択する。
【００３４】
次に、本発明の受信動作について説明する。
【００３５】
なお、前提として、待機状態ではスイッチ１０はＡの位置にある。
【００３６】
最初に、手動受信モードについて、図２、図３のフローチャートを用いて説明する。
【００３７】
まず、ＣＰＵ５は、呼出信号検知回路２の出力を監視している。そして、回線Ｌ1 、Ｌ2 より呼出信号が到来すると（２−１）、ＣＰＵ５は、ＨＯＯＫ検知回路３の出力をＮＣＵ制御部１３を介して監視する。そして、オフフックが検知されると（２−２）、スイッチ１４をＤ側に切り換える（２−３）。これによって相手との通話を行う（２−４）。すなわち、このモードでは、ハンドセット型電話機１２をオフフックしなければ、回線は捕捉されない。
【００３８】
また、２−４の状態では、ＣＰＵ５は、呼出信号検知回路２の呼出信号検知出力、およびモデム４のＣＮＧ検知出力を監視していない。
【００３９】
そこで、発呼側または被呼側がファクシミリの通信を望んでいる場合、ユーザは、操作／表示部９の不図示のスタートキーを押下する（２−５）。これによりＣＰＵ５は、スタートキーが押下されたことを判断し、スイッチ１０をＢ側に切り換え、スイッチ１４をＣ側に切り換える（２−１０）。
【００４０】
また、オフフックした電話機が電話機１１であり、ファクシミリ装置と離れた位置にあって、相手側がファクシミリでの通信を望んでいる場合、リモート受信を行う。このリモート受信は、ファクシミリの受信指示をファクシミリ装置に接続されている電話機により行うものである。このモードは、装置の設置時に操作／表示部９によって設定されているときのみ動作するようになっている。
【００４１】
リモート受信モードが設定されている場合（２−６）、所定の動作がされるかどうかを判断する（２−７）。この場合の所定の動作は、予め決められている子電話１１のフッキング、あるいは所定のＤＴＭＦ信号の発生である。
【００４２】
そして、ＨＯＯＫ検知回路３またはモデム４のＤＴＭＦ検知部によって、上記所定の動作であると判断した場合、スイッチ１０をＢ側、スイッチ１４をＣ側に切り換える（２−１０）。
【００４３】
また、リモート受信モードが設定されていない場合（２−６）、または所定の動作でなかった場合には（２−７）、電話機１１または１２がオンフック状態にあるかどうかを判断し（２−８）、オンフック状態でなければ、ステップ（２−５）に戻り、オンフック状態ならば、スイッチ１４をＣ側に切り換えて（２−９）、終了する。
【００４４】
次に、この手動受信モードにおけるファクシミリの受信について説明する。
【００４５】
まず、発呼側のファクシミリ装置に対し、被呼側のファクシミリ装置が超高速モデム（２８．８ｋｂｐｓ）で動作可能であることを示す超高速モデム識別信号をモデム４より送出する（２−１１）。
【００４６】
次に、発呼側のファクシミリが超高速モデムで動作可能であるかどうかを判断するために、発呼側の超高速モデムの能力を通知する超高速モデム能力信号検出タイマＴ1 をスタートさせる（２−１２）。
【００４７】
次に、モデム４で発呼側超高速モデム能力信号の検出を行う（２−１３）。そして、検出できた場合には、発呼側の超高速モデムの能力を判断し、被呼側で対応できる最適な超高速モデムを通知する超高速モデム能力信号をモデム４より送出し（２−１９）、画像通信を行い（２−２０）、通信終了後、スイッチ１０をＡ側に、スイッチ１４をＣ側に切り換え（２−２１）、通信を終了する。交換機は、この超高速モデム能力信号を判別してサンプリングレートの高い伝送路を獲得する。
【００４８】
一方、超高速モデム能力信号を上記Ｔ1 の間に検出できない場合には（２−１４）、発呼側のファクシミリが超高速モデム対応型でない従来型のモデムスピード１４．４ｋｂｐｓや９６００ｂｐｓのファクシミリであると判断して、発呼側ファクシミリに対して従来のＧ３ファクシミリの手順であるＣＥＤまたはＤＩＳ信号（初期識別信号）を発呼側ファクシミリに送出する（２−１５）。この初期識別信号によって受信可能なモデムレートなどの受信側の能力を通知する。
【００４９】
次に、発呼側ファクシミリの送信、受信命令信号（ＤＴＣ、ＤＣＳ等）の検出を行うためのタイマＴ2 をスタートさせ（２−１６）、発呼側ファクシミリの送信命令信号または受信命令信号の検出を行い（２−１７）、検出できた場合には、公知のＩＴＵ−ＴのＴ．３０の手順にしたがって前手順を行い（２−２２）、画像通信を行い（２−２３）、通信終了後スイッチ１０をＡ側、スイッチ１４をＣ側に切り換えて（２−２４）、終了する。
【００５０】
また、上記Ｔ2 がタイムアウトすると、スイッチ１０をＡ側、スイッチ１４をＣ側に切り換えて（２−２５）、終了する。
【００５１】
次に、ＦＡＸ／ＴＥＬ自動切換モードについて、図４、図５のフローチャートを用いて説明する。
【００５２】
まず、回線Ｌ1 、Ｌ2 より呼出信号が到来すると（４−１）、ＣＰＵ５は呼出信号検知回路２によって呼出信号を検知する。そして、呼出信号が検知されると、呼出信号検知回路２はＮＣＵ制御部１３に通知する。ＣＰＵ５は、ＮＣＵ制御部１３を介して、呼出信号が到来したことを検知し、後述の処理のためにフラグをＯＦＦＮにし、タイマをスタートさせ、ＮＣＵ制御部１３を介してスイッチ１０をＢ側に切り換える（４−２）。
【００５３】
これによって、直流ループが形成される。これは、ハンドセットをオフフックせずに達成される。
【００５４】
次に、疑似リングバックトーン（ＲＢＴ）送出フラブをＯＦＦにセットし（４−３）、タイマＴ3 をスタートさせる（４−４）。そして、ＲＢＴ送出フラグがＯＮかどうか判断し（４−５）、ＯＮでなければ、次にタイマＴ3 のカウント値がｔ1 （２〜５秒）になったかどうか判断し（４−６）、超えていない場合は、相手機からのＣＮＧ信号があるかどうか判断する（４−１０）。なお、ここで、ｔ1 まで疑似ＲＢＴを送出しないのはＣＮＧを検出しやすくするためである。
【００５５】
そして、ＣＮＧ信号がモデム４のＣＮＧ検知部で検知されると（４−１０）、スイッチ１０をＢ側、スイッチ１４をＣ側に切り換え（４−１３）、図３の動作を実行する。
【００５６】
また、ＣＮＧ信号が検知されない場合、タイマＴ3 のカウント値がｔmax （例えば、３５秒から４０秒程度）に達しているかどうかを判断する（４−１１）。そして、ｔmax に達している場合は、スイッチ１０をＢ側に、スイッチ１４をＣ側に切り換え（４−１３）、図３の動作を実行する。なお、スイッチを切り換える前に、「応答しません。ファックスに御用でしたら送信を開始して下さい。」というメッセージを出してもよい。
【００５７】
また、ｔmax に達していない場合は、電話機１１または１２がオフフックされるかどうかを判断する（４−１１）。そして、オフフックされていない場合、４−５の処理を実行する。
【００５８】
また、タイマＴ3 がｔ1 （２〜５秒）を経過すると（４−６）、相手機に対して「しばらくお待ち下さい。ファックスでしたら送信を開始して下さい。」という主旨のメッセージを送出し、疑似的なリングバックトーンをも送出する（４−７）。なお、メッセージか疑似的なリングバックトーンの送出のどちらか一方だけでもよい。
【００５９】
次に、被呼側のオペレータに電話機１１または１２のオフフックを促すために、疑似的な呼出信号を発生し、電話機１１または１２のリンガーを鳴動させる（４−８）。なお、この間に、「ただいま呼出中です。」というメッセージを送出してもよい。また、ファクシミリ装置本体にブザーを取り付け、疑似的な呼出信号を発生しなくとも、ブザーを鳴動するようにしてもよい。
【００６０】
その後、疑似ＲＢＴ送出フラグをＯＮにして、４−９、４−１０に進み、ＣＮＧまたはＯＦＦ  ＨＯＯＫの検出をｔmax まで行う。
【００６１】
一方、電話機１１または１２のオフフックが検出されると、メッセージ、疑似的なリングバックトーン、疑似的な呼出信号の送出を停止し（４−１３）、スイッチ１０をＡ側、スイッチ１４をＤ側に切り換え（４−１４）、通話を行う。
【００６２】
そして、この通話中あるいは通話後にファクシミリを起動させたい場合の動作は、手動受信モード時（図２の２−５〜２−１０）と同様であるので、説明は省略する。
【００６３】
以上の方法は、発呼側のオペレータが通話を望んでいる場合には、着信と同時に被呼側の超高速モデム識別信号を聞かずにメッセージを送出してから通話モードに移行するため、発呼側のオペレータが「被呼側はファクシミリでしか動作しない」と誤解することがなく、また、着信と同時に異音を聞くこともないので、違和感もないというメリットがある。また、通話後にファクシミリに移行したい場合でも、超高速モデムで通信することができる。
【００６４】
次に、自動受信モードについて、図６のフローチャートを用いて説明する。
【００６５】
ＣＰＵ５は、呼出信号を検出すると（６−１）、スイッチ１０をＢ側に切り換えて、それ以降は図３のフローチャートにしたがって動作する。
【００６６】
次に、留守番電話接続モードについて、図７、図８のフローチャートを用いて説明する。
【００６７】
まず、前提として、電話機１１または１２のいずれか一方に、留守番電話が接続されており、操作部９で留守番電話モードが指定されているものとする。ＣＰＵ５は、呼出信号検知回路２の出力を監視し、回線Ｌ1 、Ｌ2 より呼出信号が到来すると（７−１）、ＨＯＯＫ検知回路３によって電話機または留守番電話におけるオフフックの検知を行う（７−２）。
【００６８】
そして、オフフックが検出されると、スイッチ１４をＤ側に接続し（７−３）、ＣＮＧ信号の検知を行えるようにする。そして、タイマＴ4 をスタートして（７−４）、モデム４のＣＮＧ検知部でＣＮＧ信号の検出を行い（７−５）、ＣＮＧ信号の検知が行えた場合には、スイッチ１０をＢ側、スイッチ１４をＣ側に切り換え（７−１４）、図３の処理を実行する。
【００６９】
ＣＮＧ信号が検出できない場合、発呼側から２桁のＤＴＭＦ信号がモデム４のＤＴＭＦ検知で受信できたかどうかを判断する（７−６）。そして、２桁のＤＴＭＦ信号を受信すると、留守番電話用のコマンドかリモート受信用のコマンドと判断し、以後のＣＮＧ信号の監視を行わない。これは留守番電話用のコマンドが留守番電話に録音されている内容の再生を指示するものであったとき、録音されているＣＮＧ信号を再生することによってモデム４がＣＮＧ信号を検知し、ファクシミリモードに切り換わってしまうことを防止するためにである。
【００７０】
次に、リモート受信モードが設定しているかどうかを判断し（７−１０）、設定されている場合には、所定の動作かどうかを判断する（７−１１）。そして、所定の動作の場合は、ファクシミリを動作させるためにスイッチ１０をＢ側に、スイッチ１４をＣ側に切り換えて、図３の処理を実行する。
【００７１】
一方、リモート受信モードが設定されていないか、所定の動作でない場合、留守番電話または電話機がオンフックされたかどうかをフック検知回路３の出力で判断する（７−１２）。そして、オンフックされていない場合は、７−１０にもどり、オンフックされた場合は、スイッチ１４をＣ側に接続し、終了する。
【００７２】
また、２桁のＤＴＭＦ信号を受信していない場合（７−６）、次に無音かどうかをチェックする。そして、無音と判断された場合、スイッチ１０をＢ側に、スイッチ１４をＣ側に切り換えてファクシミリ受信を行うために、図３の処理を実行する。また、無音でない場合、オンフックかどうかチェックし（７−８）、オンフックの場合、７−１３の処理を実行する。また、オンフックでない場合、タイマＴ4 がタイムアウトするまで、７−５にもどり、タイムアウトすると（７−１０）の処理へと移る。
【００７３】
一方、留守番電話機１１または１２は、呼出信号検知回路２とは別に呼出信号検知回路を有している。これによって呼出信号を検知すると、回線を閉結し、直流ループが形成される。これによって、ＨＯＯＫ検知回路３はオフフック状態を検出する。
【００７４】
また、直流ループが形成されると、「こちら○○です。メッセージをお願いします。ファクシミリでしたら送信を開始して下さい。」というメッセージを送出する。
【００７５】
ここで、留守番電話接続モードでは、留守番電話は外付けとなり、ＣＰＵ５では留守番電話の動作が不明なため、メッセージ録音終了後は留守番電話は回線を断することから、メッセージ録音終了後は、ファクシミリの受信モードに移行する制御は行わない。
【００７６】
この方法は、発呼側のオペレータが通話を望んでいる場合には、着信と同時に被呼側の超高速モデム識別信号を聞かずにメッセージを送出してから通話モードに移行するため、発呼側のオペレータが「被呼側はファクシミリでしか動作しない」と誤解することがなく、また、着信と同時に異音を聞くこともないので、違和感もないというメリットがある。
【００７７】
また、超高速モデム識別信号とともに通話要求信号を送出して発呼側の要求に応答するようにすれば、電話モードへの移行も迅速に切り換えられる。
【００７８】
また、ファクシミリ装置がどのようなモード（自動受信、ＦＡＸ／ＴＥＬ自動切換、留守番電話）にセットされていても、前記通話要求信号を受信することで迅速に通話モードに移行できる。
【００７９】
次に、本発明の第２実施例について説明する。
【００８０】
上記第１実施例では、着信モードがＦＡＸ／ＴＥＬ自動切換モードや留守番電話モードに設定している場合に、発呼側のオペレータが通話を望んでいれば、発呼側のオペレータに超高速モデム識別信号を聞かせずに通話モードに移行するため、誤解も違和感もないというメリットがあった。
【００８１】
しかし、この第１実施例では、ファクシミリモードに移行するのは相手側のＣＮＧ信号を検出した後であるため、ファクシミリモードへの移行に時間を要していた。このため、発呼側の通信コストの余分な負担も強いていた。
【００８２】
そこで、この第２実施例では、通信コストの削減のために、発呼側のオペレータには違和感を残すが、着信と同時に超高速モデム識別信号を送出するようにしたものである。
【００８３】
なお、手動受信モード、自動受信モードについては、上記第１実施例と同じであるので説明を省略する。また、装置の構成についても、上記第１実施例（図１）と共通であるので説明を省略する。
【００８４】
次に、ＦＡＸ／ＴＥＬ自動切換モードについて、図９〜図１２のフローチャートを用いて説明する。
【００８５】
まず、回線Ｌ1 、Ｌ2 より呼出信号が到来すると（９−１）、ＣＰＵ５は呼出信号検知回路２によって呼出信号を検知する。そして、呼出信号が検知されると、呼出信号検知回路２はＮＣＵ制御部１３に通知する。
【００８６】
ＣＰＵ５は、ＮＣＵ制御部１３を介して呼出信号が到来したことを検知し、後述の処理のためにフラグをＯＦＦにし、タイマをスタートさせ、ＮＣＵ制御部１３を介して、スイッチ１０をＢ側に切り換える（９−２）。これによって直流ループが形成される。
【００８７】
そして、直流ループが形成されると、発呼側のファクシミリ装置に対して被呼側のファクシミリ装置が超高速モデム（２８．８ｋｂｐｓ）で動作可能であることを示す超高速モデム識別信号をモデム４より送出する（１１−１）。
【００８８】
次に、発呼側のファクシミリ装置が超高速モデムで動作可能であるかどうかを判断するために、発呼側の超高速モデムの能力を通知する超高速モデム能力信号検出タイマＴ1 をスタートさせる（１１−２）。
【００８９】
次に、発呼側超高速モデム能力信号の検出をモデム４で行う（１１−３）。そして、検出できた場合には、発呼側の超高速モデム能力を判断し、被呼側で対応できる最適な超高速モデムを通知する超高速モデム能力信号をモデム４より送出し（１１−５）、画像通信を行い（１１−６）、通信終了後、スイッチ１０をＡ側に、スイッチ１４をＣ側に切り換え（１１−７）、通信を終了する。
【００９０】
ここで、タイマＴ1 内に検出されるＣＮＧ信号検知出力については無視するようになっている。なぜならば、着信直後のＣＮＧ信号は、被呼側の超高速モデム識別信号を検出できずに送出する可能性が高いため、このＣＮＧ信号により、従来の高速モデム機であると判断すると、相手側が超高速モデム対応型であっても超高速モデム通信ができなくなってしまうからである。
【００９１】
さらに、交換機は、この超高速モデム能力信号を判別してサンプリングレートの高い伝送路を獲得する。
【００９２】
一方、超高速モデム識別信号をＴ1 の間に検出できない場合（７−４）、疑似リングバックトーン送出フラグをＯＦＦにセットする（９−３）。次に、タイマＴ3 をスタートさせ（９−４）、送出フラグがＯＮかどうか判断し（９−４）、ＯＮでなければ、次にタイマＴ3 のカウント値がｔ1 （２〜５秒）になったかどうか判断し（９−５）、超えていない場合は、相手機からのＣＮＧ信号があるかどうか判断する（９−１０）。ここで、ｔ1 まで疑似ＲＢＴを送出しないのは、ＣＮＧを検出しやすくするためである。
【００９３】
次に、ＣＮＧ信号がモデム４のＣＮＧ検知部で検知されると（９−１０）、スイッチ１０をＢ側、スイッチ１４をＣ側に切り換え（９−１３）、図８の動作を実行する。
【００９４】
ここで、発呼側ファクシミリは、着信時の超高速モデム識別信号に応答していないため、発呼側ファクシミリが超高速モデム対応型でない従来型のモデムスピード１４．４ｋｂｐｓか９６００ｂｐｓのファクシミリであると判断して、発呼側ファクシミリに対して従来のＧ３ファクシミリの手順であるＣＥＤまたはＤＩＳ信号（初期識別信号）を送出する（８−１）。
【００９５】
次に、発呼側ファクシミリの送信、受信命令信号（ＤＴＣ、ＤＣＳ等）の検出を行うためのタイマＴ2 をスタートさせ（１２−２）、発呼側ファクシミリの送信命令信号または受信命令信号の検出を行い（１２−３）、検出できた場合には、公知のＣＣＩＴＴのＴ．３０の手順にしたがって前手順を行い（１２−５）、画像通信を行い（１２−６）、通信終了後、スイッチ１０をＡ側、スイッチ１４をＣ側に切り換えて（１２−７）、終了する。
【００９６】
ここで、ＣＮＧ信号は発呼側が自動発呼でなくとも送出されることがある。つまり、着信してからかなりの時間が経過してからのＣＮＧ信号は、発呼側のオペレータが超高速モデム識別信号を聞いた後に発呼側のファクシミリのスタートキーを押下して送出される場合がある。そして、この場合には、発呼側のファクシミリが超高速モデム対応型である可能性もある。そのため、例えば、着信後５秒経過した後にはじめて検出するＣＮＧ信号に対しては再度超高速モデム識別信号を送出するようにしてもよい。
【００９７】
また、１２−３で検出できない場合は、スイッチ１０をＡ側、スイッチ１４をＣ側に切り換える（８−８）。そして、ＣＮＧ信号が検知されない場合、タイマＴ2 のカウント値がｔmax （例えば、３５秒から４０秒程度）に達しているかどうかを判断する（９−１１）。そして、ｔmax に達している場合は、スイッチ１０をＢ側に、スイッチ１４をＣ側に切り換え（１０−２３）、図３の動作を実行する。
【００９８】
ここで、スイッチを切り換える前に「呼出しに応答しません。ファクシミリに御用でしたら送信を開始して下さい。」とのメッセージを出してもよい。
【００９９】
なお、再度、超高速モデム識別信号を送出する理由は、発呼側のオペレータが前述のメッセージを聞いてからスタートキーを押下した場合に、発呼側のファクシミリが超高速モデム対応型である可能性があるからである。
【０１００】
また、ｔmax に達していない場合は、電話機１１または１２がオフフックされるかどうかを判断する（９−１２）。そして、オフフックされていない場合、９−５の処理を実行する。また、タイマＴ3 がｔ1 （２〜５秒）を経過すると（９−６）、相手機に対して「しばらくお待ち下さい。ファックスでしたら送信を開始して下さい。」という主旨のメッセージを送出し、疑似的なリングバックトーンをも送出する（９−７）。なお、メッセージか疑似的なリングバックトーンの送出のどちらか一方だけでもよい。
【０１０１】
次に、被呼側のオペレータに電話機１１または１２のオフフックを促すために、疑似的な呼出信号を発生し、電話機１１または１２のリンガーを鳴動させる（９−８）。この間、「ただいま呼出中です。」というメッセージを送出してもよい。もしくはファクシミリ本体にブザーを取り付け、疑似的な呼出信号を発生しなくとも、ブザーを鳴動するようにしてもよい。その後、疑似ＲＢＴ送出フラグをＯＮにして（９−９）、９−１０に進み、ＣＮＧまたはオフフックの検出をｔmax まで行う。
【０１０２】
一方、電話機１１または１２のオフフックが検出されると、メッセージ、疑似的なリングバックトーン、疑似的な呼出信号の送出を停止し（９−１４）、スイッチ１０をＡ側、スイッチ１４をＤ側に切り換え（９−１５）、通話を行う。
【０１０３】
通話中、あるいは通話後にファクシミリを起動させたい場合については、手動受信時（図２の２−５〜２−１０）と同じであるので説明は省略する。
【０１０４】
以上の方法では、着信後すぐに超高速モデム識別信号を送出するため、すぐに超高速モデム通信に移行できるので通信コストを削減できる。
【０１０５】
また、超高速モデム識別信号とともに通話要求信号を送出して発呼側の要求に応答するようにすれば、電話モードへの移行も迅速に切り換えられる。
【０１０６】
次に、留守番電話接続モードについて、図１１〜図１４のフローチャートを用いて説明する。
【０１０７】
まず、前提として、電話機１１または１２のいずれか一方に留守番電話が接続されており、操作部９で留守番電話モードが指定されているものとする。ＣＰＵ５は、呼出信号検知回路２の出力を監視し、回線Ｌ1 、Ｌ2 より呼出信号が到来すると（１３−１）、ＨＯＯＫ検知回路３によって電話機または留守番電話がオフフックの検知を行う（１３−２）。そして、オフフックが検出されると、スイッチ１４をＤ側に接続する（１３−３）。
【０１０８】
次に、発呼側のファクシミリ装置に対して、被呼側のファクシミリ装置が超高速モデム（２８．８ｋｂｐｓ）で動作可能であることを示す超高速モデム識別信号を送出する（１１−１）。
【０１０９】
そして、発呼側のファクシミリ装置が超高速モデムで動作可能であるかどうかを判断するために、発呼側の超高速モデムの能力を通知する超高速モデム能力信号検出タイマＴ1 （３〜８秒程度）をスタートさせ（１１−２）、発呼側超高速モデム能力信号の検出を行う（１１−３）。
【０１１０】
そして、この信号を検出できた場合には、発呼側の超高速モデムの能力を判断し、被呼側で対応できる最適な超高速モデムを通知する超高速モデム能力信号を送出し（１１−５）、画像通信を行い（１１−６）、通信終了後、スイッチ１０をＡ側に、スイッチ１４をＣ側に切り換え（１１−７）、通信を終了する。
【０１１１】
ここで、タイマＴ1 時間内に検出されるＣＮＧ信号検知出力については無視するようになっている。なぜならば、着信直後のＣＮＧ信号は被呼側の超高速モデム識別信号を検出できずに送出する可能性が高いため、このＣＮＧ信号で従来の高速モデム機と判断すると、相手側が超高速モデム対応型であっても超高速モデム通信ができなくなってしまうからである。
【０１１２】
また、交換機は、この超高速モデム能力信号を判別してサンプリングレートの高い伝送路を獲得する。
【０１１３】
一方、超高速モデム能力信号をＴ1 の間に検出できない場合（１１−４）、ＣＮＧ信号の検知を行えるようにする。そして、タイマＴ4 （２０〜３０秒程度）をスタートさせ（１３−４）、モデム４のＣＮＧ検知部でＣＮＧ信号の検出を行い（１３−５）、ＣＮＧ信号の検出が行えた場合には、スイッチ１０をＢ側、スイッチ１４をＣ側に切り換える（１３−１４）。
【０１１４】
ただし、この場合、ＣＮＧ信号を検知しても被呼側の超高速モデム識別信号に応答しなかったので、発呼側ファクシミリは超高速モデム対応型でない従来型のモデムスピード１４．４ｋｂｐｓか９６００ｂｐｓのファクシミリであると判断して、発呼側ファクシミリに対して従来のＧ３ファクシミリの手順であるＣＥＤまたはＤＩＳ信号（初期識別信号）を発呼側ファクシミリに対して送出する（１２−１）。
【０１１５】
次に、発呼側ファクシミリの送信、受信命令信号（ＤＴＣ、ＤＣＳ等）の検出を行うためのタイマＴ2 をスタートさせ（１２−２）、発呼側ファクシミリの送信命令信号または受信命令信号の検出を行い（１２−３）、検出できた場合には公知のＩＴＵ−ＴのＴ．３０の手順にしたがって、前手順を行い（１２−５）、画像通信を行い（１２−６）、通信終了後、スイッチ１０をＡ側、スイッチ１４をＣ側に切り換えて（１２−７）、終了する。
【０１１６】
ここで、ＣＮＧ信号は発呼側が自動発呼でなくとも送出されることがある。つまり、着信してからかなりの時間が経過してからのＣＮＧ信号は発呼側のオペレータが超高速モデム識別信号を聞いた後しばらくして、発呼側のファクシミリのスタートキーを押下して送出される場合がある。そして、この場合には、発呼側のファクシミリが超高速モデム対応型である可能性もある。そのため、例えば、着信後、５秒経過した後にはじめて検出するＣＮＧ信号に対しては、再度超高速モデム識別信号を送出するようにしてもよい。
【０１１７】
また、ＣＮＧ信号が検出できない場合、発呼側から２桁のＤＴＭＦ信号がモデム４のＤＴＭＦ検知で受信できたかどうかを判断する。そして、２桁のＤＴＭＦ信号が受信されると留守番電話用のコマンドかリモート受信用のコマンドと判断し、以後のＣＮＧ信号の監視を行わない。これは留守番電話用のコマンドが留守番電話に録音されている内容の再生を指示するものであったとき、録音されているＣＮＧ信号を再生することによってモデム４がＣＮＧ信号を検知し、ファクシミリモードに切り換わってしまうことを防止するためである。
【０１１８】
次に、リモート受信モードが設定しているかどうかを判断し（１３−１０）、設定されている場合には、所定の動作かどうかを判断する（１３−１１）。そして、所定の動作の場合は、ファクシミリを動作させるためにスイッチ１０をＢ側に、スイッチ１４をＣ側に切り換えて、図３の処理を実行する。
【０１１９】
ここで再度超高速モデム識別信号を送出する理由は、発呼側のオペレータが着信後しばらくしてからスタートキーを押下した場合には、発呼側のファクシミリが超高速モデム対応型である可能性があるからである。
【０１２０】
一方、リモート受信モードが設定されていないか、所定の動作でない場合、留守番電話または電話機がオンフックされたかどうかをＨＯＯＫ検知回路３の出力で判断する（１３−１２）。オンフックされていない場合は（１３−１０）に戻り、オンフックされた場合は、スイッチ１４をＣ側に接続し、終了する。
【０１２１】
また、２桁のＤＴＭＦ信号が受信していない場合（１３−７）、次に無音かどうかをチェックする。そして、無音と判断された場合、スイッチ１０をＢ側に、スイッチ１４をＣ側に切り換えてファクシミリ受信を行うために、図３の処理を実行する。また、無音でない場合、オンフックかどうかチェックし（１３−８）、オンフックの場合（１３−１３）の処理を実行する。また、オンフックでない場合、タイマＴ4 がタイムアウトするまで（１３−９）にもどり、タイムアウトすると（１３−１０）の処理へと移る。
【０１２２】
ここで、無音の場合に再度超高速モデム識別信号を送出する理由は、前述したとおり、発呼側のファクシミリが超高速モデム対応型である可能性があるからである。
【０１２３】
一方、留守番電話機１１または１２は、呼出信号検知回路２とは別に、呼出信号検知回路を有している。これによって、呼出信号を検知すると、回線を閉結し、直流ループが形成される。これによって、ＨＯＯＫ検知回路３はオフフック状態を検出する。また、直流ループが形成されると、留守番電話機に予め録音された「こちら○○です。メッセージをお願いします。ファックスでしたら送信を開始して下さい。」というメッセージを送出する。
【０１２４】
ここで、留守番電話接続モードでは留守番電話は外付けとなり、ＣＰＵ５では留守番電話の動作が不明なため、メッセージ録音終了後は留守番電話は回線を断するため、メッセージ録音終了後、ファクシミリの受信モードに移行する制御は行わない。また、留守番電話機のメッセージと衝突する、または誤って録音される恐れがあるため、ファクシミリ側からはメッセージを送出しない。
【０１２５】
以上の方法では、着信後すぐに超高速モデム識別信号を送出するため、すぐに超高速モデム通信に移行できるので通信コストを削減できる。また、相手側が超高速モデム対応型の可能性があるときには、超高速モデム通信ができるための通信コストを削減できる。
【０１２６】
また、超高速モデム識別信号とともに、通話要求信号を送出して、発呼側の要求に応答するようにすれば、電話モードへの移行も迅速に切り換えられる。また、ファクシミリ装置がどのようなモード（自動受信、ＦＡＸ／ＴＥＬ自動切換、留守番電話）にセットされていても、前記通話要求信号を受信することで迅速に通話モードに移行できる。
【０１２７】
なお、上述のように第１、第２実施例ともメリット、デメリットがそれぞれあるため、操作部９の不図示のキー入力により、第１、第２実施例をユーザの好みに合わせて選択できるようにしてもよい。
【０１２８】
次に、本発明の第３実施例について説明する。
【０１２９】
この第３実施例は、留守番電話機能を内蔵したタイプのファクシミリ装置について説明する。
【０１３０】
上述した第１、第２実施例では、留守番電話装置は、端子Ｔ3 、Ｔ4 、Ｔ5 、Ｔ6 等を介して接続されており、ファクシミリ装置側からは留守番電話装置を制御できないが、この第３実施例では、留守番電話部はファクシミリ装置に内蔵されており、ファクシミリ装置のＣＰＵ５によって留守番電話部が制御される。
【０１３１】
図１５は、この第３実施例による留守番電話内蔵のファクシミリ装置を示すブロック図である。
【０１３２】
コネクタ１（Ｔ1 、Ｔ2 ）は、電話回線Ｌ1 、Ｌ2 とファクシミリ装置を接続するためのものであり、呼出信号検出回路２は、回線からの呼出信号を検出する回路である。ＨＯＯＫ検知回路３は、電話機１１、１２のＨＯＯＫ状態を検知する回路であり、モデム４は、ファクシミリ信号を送受信するために変復調する回路であり、発呼側のファクシミリが送出する超高速モデム識別信号やＣＮＧ信号を検知する機能や、発呼側または電話機１１、１２からＤＴＭＦを検出する機能を備えている。
【０１３３】
ＣＰＵは、このファクシミリ装置全体の制御を行うものであり、画像処理部６は、画像データに各種画像処理を施すものである。また、画像記録部７は、受信画像等を記録紙に出力するものであり、画像読取部８は、送信原稿等を読み取るものである。操作／表示部９は、オペレータが各種データの入力を行うキーボードや各種データを表示するＬＣＤとを有するものである。電話機１０、１１は、外付けの電話機または留守番電話機であり、Ｔ3 、Ｔ4 、Ｔ5 、Ｔ6 は各々電話機または留守番電話機と接続するためのコネクタである。
【０１３４】
ＮＣＵ制御部１３は、ＣＭＬリレーによってスイッチ１０を切り換える制御等を行っている。スイッチ１４は、回線から到来する信号をモデムに入力するためのものである。ＲＯＭ１４は、ＣＰＵ５を動作させるためのプログラムや送出用メッセージを蓄積するためのものである。なお、この送出用のメッセージは、不図示のＲＡＭによって可変のメッセージを入力できるようにしてもよい。
【０１３５】
留守番電話部１５は、このファクシミリ装置に内蔵された留守番電話装置である。
【０１３６】
この第３実施例において、受信モードには次の４つある。まず、着信に対してハンドセット型電話機で手動で応答する手動受信モード、次に、着信に対して自動的に応答し、相手側がＦＡＸなのかＴＥＬなのかを判別し、ＦＡＸの場合なら、スイッチ１０をＢ側に、ＴＥＬの場合にはＡ側に切り換えるＦＡＸ／ＴＥＬ自動切換モード、３つ目に、着信に対して自動的に応答してＦＡＸのみと接続する自動受信モード、最後に、着信に対して留守番電話部で応答する留守番電話モードの４つである。なお、各受信モードは、操作／表示部９のキーボードより選択する。
【０１３７】
次に、この第３実施例における受信動作について説明する。なお、留守番電話モード以外のモードは、第１、第２実施例と同じであるので、ここでは、留守番電話モードについてのみ説明する。
【０１３８】
まず、前提として、待機状態ではスイッチ１０はＡの位置にある。そして、操作部９において、留守番電話モードが指定されているものとする。
【０１３９】
以下、留守番電話内蔵モードについて、図１６、図１７のフローチャートを用いて説明する。
【０１４０】
まず、ＣＰＵ５は、呼出信号検知回路２の出力を監視し、回線Ｌ1 、Ｌ2 より呼出信号が到来すると（１６−１）、スイッチ１０をＢ側に切り換え（１６−２）、タイマＴ4 （例えば４０秒程度）をスタートし（１６−３）、ＣＮＧ信号をモデム４のＣＮＧ検知部によって検知する（１６−４）。そして、ＣＮＧ信号が検知されると、スイッチ１０をＢ側、スイッチ１４をＣ側に切り換えて（１６−１２）、図３の処理を実行する。
【０１４１】
また、タイマがｔ1 （１．８秒〜３秒程度）以上になると（１６−５）、留守番電話部１５は、ＯＧＭ１を発呼側のオペレータに送出する（１６−６）。このメッセージは「こちら○○です。メッセージがありましたらお入れ下さい。ファックスでしたら送信を開始して下さい。」という主旨のメッセージである。
【０１４２】
次に、再度ＣＮＧの検出を行い（１６−７）、ＣＮＧがあった場合には、１６−１２の処理を実行する。
【０１４３】
また、ＣＮＧ信号が検出できない場合、発呼側から２桁のＤＴＭＦ信号がモデム４のＤＴＭＦ検知で受信できたかどうかを判断する（１６−８）。そして、２桁のＤＴＭＦ信号が受信されると、留守番電話用のコマンドかリモート受信用のコマンドと判断し、以後のＣＮＧ信号の監視を行わない。
【０１４４】
これは、留守番電話用のコマンドが留守番電話に録音されている内容の再生を指示するものであったとき、録音されているＣＮＧ信号を再生することによってモデム４がＣＮＧ信号を検知し、ファクシミリモードに切り換わってしまうことを防止するためである。
【０１４５】
次に、リモート受信モードが設定してあるかどうかを判断し（１６−１５）、設定されている場合には、所定の動作かどうかを判断する（１６−１６）。所定の動作の場合は、ファクシミリを動作させるためにスイッチ１０をＢ側に、スイッチ１４をＣ側に切り換えて、図３の処理を実行する。
【０１４６】
一方、リモート受信モードが設定されていないか、所定の動作でない場合、留守番電話のリモートコントロール用のコマンドかどうか判断し（１６−１９）、リモートコントロール用のコマンドであった場合、留守番電話をコマンドの内容にしたがって制御する（１６−２０）。その後、スイッチ１０をＡ側、スイッチ１４をＢ側に切り換えて（１６−２１）、回線を解放し終了する。
【０１４７】
また、２桁のＤＴＭＦ信号が受信していない場合（１６−８）、次に無音かどうかをチェックする（１６−９）。そして、無音と判断された場合、スイッチ１０をＢ側に、スイッチ１４をＣ側に切り換えて（１６−１２）、ファクシミリ受信を行うために、図３の処理を実行する。また、無音でない場合、メッセージの録音を行うとともに、オフフックかどうかチェックし（１６−１０）、オフフックの場合、スイッチ１０をＡ側に、スイッチ１４をＤ側に切り換える（１６−１３）。さらに、ＯＧＭ１の送出中である場合は、ＯＧＭ１の送出を停止し、メッセージの録音中である場合には、録音を停止する（１６−１４）。その後、２−４の処理を実行して、通話モードに移る。
【０１４８】
また、オフフックでない場合、タイマＴ4 がタイムアウトするまで（１６−１１）にもどり、タイムアウトすると（１６−１５）の処理へと移る。
【０１４９】
また、上記１６−１５、１６−１６、１６−１７のいずれもがＮＯである場合には、ＯＧＭ２を送出する。このＯＧＭ２の内容としては、例えば「呼び出しても応答しません、ファックスでしたら、送信を開始してください。」、あるいは「ファックスにも御用がありましたら、送信を開始してください。」等のメッセージを送出する。さらに、スイッチ１０をＢ側に、スイッチ１４をＣ側に切り換えて（１６−２３）、図３の処理を実行する。
【０１５０】
以上の方法では、発呼側のオペレータが通話を望んでいる場合には、着信と同時に被呼側の超高速モデム識別信号を聴かずに、メッセージを送出してから、通話モードに移行するため、発呼側のオペレータが、「被呼側はファクシミリでしか動作しない」と誤認することがなく、また、着信と同時に異音を聴くこともないので、違和感もないというメリットがある。また、録音終了後、留守番電話の不応答時にファクシミリ通信を行いたい場合でも、超高速モデムで通信することができる。
【０１５１】
また、超高速モデム識別信号とともに、通信要求信号を送出して発呼側の要求に応答するようにすれば、電話モードへの移行も迅速に切り換えられる。また、ファクシミリ装置がどのようなモード（自動受信、ＦＡＸ／ＴＥＬ自動切換、留守番電話）にセットされていても、前記通話要求信号を受信することで迅速に通話モードに移行できる。
【０１５２】
次に、本発明の第４実施例について説明する。
【０１５３】
上記第３実施例では、着信モードが留守番電話モードに設定されている場合に、発呼側のオペレータが通話を望んでいれば、発呼側のオペレータに超高速モデム識別信号を聴かせずに、通話モードに移行するため、誤解も違和感もないというメリットがあったが、この第３実施例の場合、ファクシミリモードに移行するのは、相手側のＣＮＧ信号を検出した後であるため、ファクシミリモードへの移行に時間を要するため、その分、発呼側の通信コストが増大することになる。
【０１５４】
そこで、この第４実施例では、通信コストの削減のため、発呼側のオペレータには違和感を残すが、着信と同時に超高速モデム識別信号を送出するようにしたものである。
【０１５５】
なお、この第４実施例において、手動受信モードおよび自動受信モードについては、第１実施例と同様であり、ＦＡＸ／ＴＥＬ自動切換モードについては、第２実施例と同様であるので説明を省略する。また、装置の構成については、上記第３実施例（図１５）と共通であるので説明を省略する。
【０１５６】
以下、この第４実施例における留守番電話モードについて、図１１、図１２、図１８、図１９のフローチャートを用いて説明する。
【０１５７】
まず、前提として、操作部９において、留守番電話モードが指定されているものとする。
【０１５８】
この状態で、ＣＰＵ５は、呼出信号検知回路２の出力を監視し、回線Ｌ1 、Ｌ2 より呼出信号が到来すると（１８−１）、スイッチ１０をＢ側に切り換える（１８−２）。
【０１５９】
そして、発呼側のファクシミリ装置に対して、被呼側のファクシミリ装置が、超高速モデム（２８．８ｋｂｐｓ）で動作可能であることを示す超高速モデム識別信号を送出する（１１−１）。
【０１６０】
次に、発呼側のファクシミリ装置が超高速モデムで動作可能であるかどうかを判断するために、発呼側の超高速モデムの能力を通知する超高速モデム能力信号検出タイマＴ1 をスタートさせ（１１−２）、発呼側超高速モデム能力信号の検出を行う（１１−３）。そして、この信号が検出できた場合には、発呼側の超高速モデムの能力を判断し、被呼側で対応できる最適な超高速モデムを通知する超高速モデム能力信号を送出し（１１−５）、画像通信を行い（１１−６）、通信終了後、スイッチ１０をＡ側に、スイッチ１４をＣ側に切り換え（１１−７）、通信を終了する。ここで交換機は、この超高速モデム能力信号を判別して、サンプリングレートの高い伝送路を獲得する。
【０１６１】
ここで、タイマＴ1 内に検出されるＣＮＧ信号検知出力については無視するようになっている。なぜならば、着信直後のＣＮＧ信号は、被呼側の超高速モデム識別信号を検出できずに送出する可能性が高いため、このＣＮＧ信号で従来の高速モデム機と判断すると、相手側が超高速モデム対応型であっても超高速モデム通信ができなくなってしまうからである。
【０１６２】
一方、超高層モデム能力信号をＴ1 の間に検出できない場合（１１−４）、ＣＮＧ信号の検知を行えるようにする。そして、タイマＴ4 をスタートさせて（１８−３）、モデム４のＣＮＧ検知部でＣＮＧ信号の検出を行い（１８−４）、ＣＮＧ信号の検出が行えた場合には、スイッチ１０をＢ側、スイッチ１４をＣ側に切り換える（１８−２４）。
【０１６３】
ただし、この場合、ＣＮＧ信号を検知しても被呼側の超高速モデム識別信号に応答しなかったので、発呼側ファクシミリは超高速モデム対応型でない従来型のモデムスピード１４．４ｋｂｐｓか９６００ｂｐｓのファクシミリであると判断して、発呼側ファクシミリに対して、従来のＧ３ファクシミリの手順であるＣＥＤまたはＤＩＳ信号（初期識別信号）を送出する（１２−１）。
【０１６４】
次に、発呼側ファクシミリの送信、受信命令信号（ＤＴＣ、ＤＣＳ等）の検出を行うためのタイマＴ2 をスタートさせ（１２−２）、発呼側ファクシミリの送信命令信号または受信命令信号の検出を行い（１２−３）、検出できた場合には、公知のＩＴＵ−ＴのＴ．３０の手順にしたがって、前手順を行い（１２−５）、画像通信を行い（１２−６）、通信終了後、スイッチ１０をＡ側、スイッチ１４をＣ側に切り換えて（１２−７）、終了する。
【０１６５】
ここで、ＣＮＧ信号は発呼側が自動発呼でなくとも送出されることがある。つまり、着信してからかなりの時間が経過してからのＣＮＧ信号は、発呼側のオペレータが超高速モデム識別信号を聞いた後しばらくして、発呼側のファクシミリのスタートキーを押下して送出される場合がある。この場合には、発呼側のファクシミリが超高速モデム対応型である可能性もある。そのため、例えば、着信後５秒経過した後にはじめて検出するＣＮＧ信号に対しては、再度超高速モデム識別信号を送出するようにしてもよい。
【０１６６】
タイマがｔ1 （１．８〜３秒程度）以上になると（１８−５）、留守番電話部１５はＯＧＭ１を発呼側のオペレータに対して送出する（１８−６）。このメッセージは、「こちら○○です。メッセージがありましたらお入れ下さい。ファックスでしたら送信を開始して下さい。」という主旨のメッセージを送出する。
【０１６７】
次に、再度ＣＮＧの検出を行い（１８−７）、ＣＮＧがあった場合には、１８−２４の処理を実行する。
【０１６８】
また、ＣＮＧ信号が検出できない場合、発呼側から２桁のＤＴＭＦ信号がモデム４のＤＴＭＦ検知で受信できたかどうかを判断する（１８−８）。そして、２桁のＤＴＭＦ信号が受信されると、留守番電話用のコマンドかリモート受信用のコマンドと判断し、以後のＣＮＧ信号の監視を行わない。
【０１６９】
これは、留守番電話用のコマンドが留守番電話に録音されている内容の再生を指示するものであったとき、録音されているＣＮＧ信号を再生することによってモデム４がＣＮＧ信号を検知し、ファクシミリモードに切り換わってしまうことを防止するためである。
【０１７０】
次に、リモート受信モードが設定してあるかどうかを判断し（１８−１５）、設定されている場合には、所定の動作かどうかを判断する（１８−１６）。所定の動作の場合は、ファクシミリを動作させるためにスイッチ１０をＢ側に、スイッチ１４をＣ側に切り換えて、図３の処理を実行する。
【０１７１】
ここで、再度超高速モデム識別信号を送出する理由は、発呼側のオペレータが着信後しばらくしてから、スタートキーを押下した場合には、発呼側のファクシミリが超高速モデム対応型である可能性があるからである。
【０１７２】
一方、リモート受信モードが設定されていないか、所定の動作でない場合、留守番電話のリモートコントロール用のコマンドかどうか判断する（１８−１９）。そして、リモートコントロール用のコマンドであった場合、留守番電話をコマンドの内容にしたがって制御する（１８−２０）。その後、スイッチ１０をＡ側、スイッチ１４をＢ側に切り換えて（１８−２１）、回線を解放し終了する。
【０１７３】
また、２桁のＤＴＭＦ信号が受信していない場合（１８−８）、次に無音かどうかをチェックする（１８−９）。そして、無音と判断された場合、スイッチ１０をＢ側に、スイッチ１４をＣ側に切り換えて（１８−１２）、ファクシミリ受信を行うために、図３の処理を実行する。
【０１７４】
ここで、無音の場合に再度超高速モデム識別信号を送出する理由は、前述したとおり、発呼側のファクシミリが超高速モデム対応型である可能性があるからである。
【０１７５】
また、無音でない場合、メッセージの録音を行うとともに、オフフックかどうかチェックし（１８−１０）、オフフックの場合、スイッチ１０をＡ側に、スイッチ１４をＤ側に切り換える（１８−１３）。さらに、ＯＧＭ１が送出中の場合は、ＯＧＭ１の送出を停止し、録音中の場合には録音を停止する（１８−１４）。その後、２−４の処理を実行して通話モードに移る。
【０１７６】
オフフックでない場合、タイマＴ4 がタイムアウトするまで、１８−１１にもどり、タイムアウトすると、１８−１５の処理へと移る。
【０１７７】
また、上記１８−１５、１８−１６、１８−１７のいずれもがＮＯである場合には、ＯＧＭ２を送出する。ＯＧＭ２の内容は、例えば「呼び出しても応答しません。ファックスでしたら送信を開始して下さい。」、あるいは「ファックスにも御用がありましたら送信を開始して下さい。」などである。
【０１７８】
さらに、スイッチ１０をＢ側、スイッチ１４をＣ側に切り換えて（１８−２３）、図３の処理を実行する。
【０１７９】
ここで、再度超高速モデム識別信号を送出する理由は、前述したとおり、発呼側のファクシミリが超高速モデム対応型である可能性があるからである。
【０１８０】
以上の方法では、着信後、すぐに超高速モデム識別信号を送出するため、すぐに超高速モデム通信に移行でき、通信コストを削減できる。また、相手側が超高速モデム対応型の可能性があるときには、超高速モデム通信ができるため、通信コストを削減できる。また、録音終了後、留守番電話の不応答時にファクシミリ通信を行いたい場合でも超高速モデムで通信することができる。
【０１８１】
また、超高速モデム識別信号とともに通話要求信号を送出して、発呼側の要求に応答するようにすれば、電話モードへの移行も迅速に切り換えられる。また、ＦＡＸがどのようなモードにセットされていても（自動受信、ＦＡＸ／ＴＥＬ自動切換、留守番電話）、前記通話要求信号を受信することで迅速に通話モードに移行できる。
【０１８２】
なお、上述のように第３、第４実施例ともメリット、デメリットがそれぞれあるため、操作部９の不図示のキー入力により、第３、第４実施例をユーザの好みに合わせて選択できるようにしてもよい。
【０１８３】
【発明の効果】
本発明によれば、ＣＮＧ信号の受信と発呼側超高速モデム能力信号の受信とを監視し、発呼側超高速モデム能力信号を受信すれば、超高速モデム手順信号通信手段に、被呼側超高速モデム能力信号を送出させて、１４．４ｋｂｐｓを超える超高速モデムレートでのデータ伝送を行い、一方、ＣＮＧ信号を受信すれば、ファクシミリ手順信号通信手段に、ＤＩＳ信号を送出させて、１４．４ｋｂｐｓ以下のモデムレートでデータ伝送を行うので、発呼側が、発呼側超高速モデム能力信号とＣＮＧ信号のどちらを送信したのかに応じて、適切な速度でデータ伝送することができる。つまり、発呼側モデムの能力に応じた適切な速度でデータ伝送することができるという効果を奏する。
【図面の簡単な説明】
【図１】本発明の第１、第２実施例におけるファクシミリ装置の構成を示すブロック図である。
【図２】上記第１、第２実施例における手動受信モードの処理を示すフローチャートである。
【図３】上記第１、第２実施例における手動受信モードの処理を示すフローチャートである。
【図４】上記第１実施例におけるＦＡＸ／ＴＥＬ自動切換モードの処理を示すフローチャートである。
【図５】上記第１実施例におけるＦＡＸ／ＴＥＬ自動切換モードの処理を示すフローチャートである。
【図６】上記第１、第２実施例における自動受信モードの処理を示すフローチャートである。
【図７】上記第１実施例における留守番電話接続モードの処理を示すフローチャートである。
【図８】上記第１実施例における留守番電話接続モードの処理を示すフローチャートである。
【図９】本発明の第２実施例におけるＦＡＸ／ＴＥＬ自動切換モードの処理を示すフローチャートである。
【図１０】上記第２実施例におけるＦＡＸ／ＴＥＬ自動切換モードの処理を示すフローチャートである。
【図１１】上記第２実施例における超高速モデムによる通信処理を示すフローチャートである。
【図１２】上記第２実施例における高速モデムによる通信処理を示すフローチャートである。
【図１３】上記第２実施例における留守番電話接続モードの処理を示すフローチャートである。
【図１４】上記第２実施例における留守番電話接続モードの処理を示すフローチャートである。
【図１５】本発明の第３、第４実施例におけるファクシミリ装置の構成を示すブロック図である。
【図１６】上記第３実施例における留守番電話内蔵モードの処理を示すフローチャートである。
【図１７】上記第３実施例における留守番電話内蔵モードの処理を示すフローチャートである。
【図１８】上記第４実施例における留守番電話内蔵モードの処理を示すフローチャートである。
【図１９】上記第４実施例における留守番電話内蔵モードの処理を示すフローチャートである。
【符号の説明】
２…呼出信号検知回路、
３…ＨＯＯＫ検知回路、
４…モデム、
５…ＣＰＵ、
１０…ＣＭＬリレー、
１４…アナログスイッチ。
【図１】
0003761909.tif 000002
【図２】
0003761909.tif 000003
【図３】
0003761909.tif 000004
【図４】
0003761909.tif 000005
【図５】
0003761909.tif 000006
【図６】
0003761909.tif 000007
【図７】
0003761909.tif 000008
【図８】
0003761909.tif 000009
【図９】
0003761909.tif 000010
【図１０】
0003761909.tif 000011
【図１１】
0003761909.tif 000012
【図１２】
0003761909.tif 000013
【図１３】
0003761909.tif 000014
【図１４】
0003761909.tif 000015
【図１５】
0003761909.tif 000016
【図１６】
0003761909.tif 000017
【図１７】
0003761909.tif 000018
【図１８】
0003761909.tif 000019
【図１９】
0003761909.tif 000020